(57)【要約】【課題】飲料等の水分を収容するボトルに対し、電波の入出射を阻害しない位置にＲＦＩＤタグ等の無線タグを取り付けることを可能にする。【解決手段】実施形態によれば、ボトルのネックに着脱自在に取り付けられるボトル取付用タグは、前記ネックを通す開口部を有する中央片と、この中央片に一体的に作製された端部片とを有する。端部片の、中央片と境界を成す一辺の反対側に無線タグが配置され、前記境界を成す一辺側を下方端とした際に前記無線タグの少なくとも一部分が前記ボトル最上部よりも高い位置に配置されている。【選択図】図１
2019031332.tif 000002
【特許請求の範囲】
【請求項１】
ボトルのネックに着脱自在なボトル取付用タグにおいて、
前記ネックを通す開口部を有する中央片と、
この中央片と一体的に作製され、前記中央片との境界を成す辺と対を成す辺側に無線タグが配置され、前記境界を成す辺側を下方端とした時に
前記無線タグの少なくとも一部分がボトル最上部よりも高い位置となる端部片と、を備えるボトル取付用タグ。
【請求項２】
前記端部片の面がボトルの軸と平行に配置されるように形成されている請求項１に記載のボトル取付用タグ。
【請求項３】
前記無線タグは、タグ識別情報を記憶可能である記憶部を有する請求項１乃至請求項２のいずれかに記載のボトル取付用タグ。
【請求項４】
前記開口部は、その長径が前記ボトルの口部を閉塞する為のキャップの直径よりも大きく、その短径が前記キャップの直径よりも小さく形成されていると共に、前記開口部の長軸上に切り込みを有し、前記切り込みの開口部と他端側に前記開口部の短軸と略平行に切り込みを有する請求項１乃至請求項３のいずれか一に記載のボトル取付用タグ。
【請求項５】
前記中央片には、前記開口部を挟んで配置された一対の支持片を有し、その先端が前記ボトルの口部に係合する請求項４に記載のボトル取付用タグ。
【請求項６】
ボトルのネックに着脱自在なボトル取付用タグにおいて、
前記ネックの周囲に係合又は嵌合する固定部と、
この固定部と一体的に設けられ、前記ネックから離間した位置において無線タグが前記ネックの周方向に沿って配置される無線タグ支持部と、を備えるボトル取付用タグ。
【発明の詳細な説明】
【技術分野】
【０００１】
本発明の実施形態は、ボトル取付用タグに関する。
【背景技術】
【０００２】
各商品に付されたＲＦＩＤタグ（無線タグ）からリーダライタ装置を使って商品情報を読み取り、当該商品情報を情報処理装置に取り込むシステムが知られている。例えば、平板状アンテナを埋設したカウンタの上面に、商品或いは商品を収容したカートンを載置することで、その商品に付されたＲＦＩＤタグから商品情報を一括して読み取る装置などがある。平板状アンテナは、ＲＦＩＤタグと交信し、そのＲＦＩＤタグの記憶部に記憶された情報の読取り及び記憶部への情報の書込みを行うリーダライタ装置に接続されている。
【０００３】
ＲＦＩＤタグは、平板状アンテナを介してリーダライタ装置で確実に読み取れるように、商品の形状や材質を考慮し適切な位置に配置する必要がある。例えば、ボトルの口部を封止するキャップの外周に被せるオーバーキャップの内側にＲＦＩＤタグを貼り付けるタイプのものが知られている。
【０００４】
しかしながら、キャップに取り付けるタイプのものは、ボトルが横向きや逆さになって、ボトルの口部が飲料で満たされると、ＲＦＩＤタグとの交信が水分で阻害されることがある。これにより、リーダライタ装置による読み取りの確実性が低下することがあった。
【先行技術文献】
【特許文献】
【０００５】
【特許文献１】特開２０１４−１１４０７０号公報
【発明の概要】
【発明が解決しようとする課題】
【０００６】
本発明が解決しようとする課題は、飲料等の水分を収容するボトルに対し、電波の送受信（交信）を阻害しない位置にＲＦＩＤタグ等の無線タグを取り付けることが可能なボトル取付用タグを提供することである。
【課題を解決するための手段】
【０００７】
実施形態によれば、ボトルのネックに着脱自在なボトル取付用タグにおいて、前記ネックを通す開口部を有する中央片と、この中央片に一体的に作製された端部片とを有する。
端部片の、中央片と境界を成す一辺の反対側に無線タグが配置され、前記境界を成す一辺を下方端とした時に前記無線タグの少なくとも一部分が前記ボトル最上部よりも高い位置に配置されている。
【図面の簡単な説明】
【０００８】
【図１】第１の実施形態にかかるボトル取付用タグをボトルに取り付けた状態を示す斜視図。
【図２】第１の実施形態におけるボトル取付用タグをボトルに取り付けた状態を示す側面図。
【図３】第１の実施形態におけるボトル取付用タグをボトルに取り付けた状態を示す正面図。
【図４】第１の実施形態におけるボトル取付用タグを示す展開図。
【図５】第１の実施形態におけるボトル取付用タグが取り付けられたボトルに適用されるセルフチェックアウト装置の外観構成を示す斜視図。
【図６】本実施形態における情報処理装置の構成を示すブロック図。
【図７】本実施形態におけるセルフチェックアウト装置に組み込まれた商品読取装置を示す斜視図。
【図８】第２の実施形態にかかるボトル取付用タグをボトルに取り付けた状態を示す斜視図。
【図９】第２の実施形態にかかるボトル取付用タグを示す斜視図。
【図１０】第２の実施形態にかかるボトル取付用タグを示す展開図。
【図１１】第３の実施形態にかかるボトル取付用タグをボトルに取り付けた状態を示す斜視図。
【図１２】第３の実施形態にかかるボトル取付用タグを示す斜視図。
【発明を実施するための形態】
【０００９】
以下、本実施形態について、図面を参照しながら説明する。  
＜第１の実施形態＞
図１は第１の実施形態にかかるボトル取付用タグ１０をペットボトルＢに取り付けた状態を示す斜視図、図２は第１の実施形態におけるボトル取付用タグ１０をペットボトルＢに取り付けた状態を示す側面図、図３は第１の実施形態におけるボトル取付用タグ１０をペットボトルＢに取り付けた状態を示す正面図である。図４は第１の実施形態におけるボトル取付用タグ１０を示す展開図である。なお、図中ＮはペットボトルＢのネックを示しており、ネックＮの上端には口部Ｐが設けられている。口部ＰはキャップＣによって閉栓されている。また、図中Ｘは、ペットボトルＢの中心軸を示している。
【００１０】
図１に示すように、ボトル取付用タグ１０は、ペットボトルＢの外径とほぼ同等の幅αの略長方形状の薄片（樹脂製で弾性を有している）を折曲して形成されており、ペットボトルＢのネックＮに取り付けられる。
【００１１】
ボトル取付用タグ１０は、ネックＮを通すための中央片２０と、この中央片２０を挟んで、第１の端部片３０と第２の端部片４０が中央片２０の対向する辺に形成されている。
第１の端部片３０及び第２の端部片４０の面は、ネックＮの軸Ｘとほぼ平行となるように折曲されている。
【００１２】
図４の展開図に示すように、中央片２０には、長径がキャップＣの直径より僅かに大きく、短径がキャップＣの直径の半分程度である楕円状の開口部２１と、この開口部２１に繋がる切込み２２が設けられている。これにより、開口部２１を挟んで一対の支持片２３が形成され、これら支持片２３は容易に湾曲可能であるため、ボトルＢのネックＮに開口部２１を容易に通すことができる。中央片２０の図４中左右方向の寸法δ１は、ペットボトルＢの直径に対し僅かに大きく形成されている。なお、開口部２１の形状は長径の楕円形に限らず三角形などの多角形形状であっても良い。
【００１３】
第１の端部片３０は、中央片２０の外縁に一辺３１側が一体的に取り付けられると共に、他辺３２側がボトルＢの底部を下方にして置いた際に口部Ｐよりも高い位置になるように図４中左右方向の寸法δ２が設定されている。第１の端部片３０を一辺３１で折曲した際に、外側となる面の所定位置に無線タグとしてのＲＦＩＤタグ（Ｒａｄｉｏ  Ｆｒｅｑｕｅｎｃｙ  ＩＤｅｎｔｉｆｉｅｒ）５０が取り付けられている。すなわち、中央片２０の一端側を下方端として置いた時に無線タグの少なくとも一部分がボトル最上部よりも高い位置になる配置となる。
【００１４】
ＲＦＩＤタグ５０は、樹脂製のベース上にタグＩＤ等のタグ識別情報を記憶可能である記憶部を有するチップとアンテナを備えている。ＲＦＩＤタグ５０の一部分は、ペットボトルＢの底部を下方にして置いた場合に、口部Ｐよりも高い位置に配置されている。このため、ＲＦＩＤタグ５０の少なくとも一部分は、飲料等の水分から離間した位置に配置される。ＲＦＩＤタグ５０は第１の端部片３０に取り付けられており、この第１の端部片３０はネックＮの軸Ｘとほぼ平行となるように折曲されていることから、ＲＦＩＤタグ５０とペットボトルＢのキャップＣとは間隔が空いている。
【００１５】
図５は、本実施形態にかかるボトル取付用タグ１０が取り付けられたボトルを含む商品の商品情報を情報処理装置に取り込む商品情報処理装置１００の構成を示す外観斜視図、図６は商品情報処理装置１００に組み込まれた情報処理装置１１０の構成を示すブロック図、図７は本実施形態における商品情報処理装置１００に組み込まれた物品読取装置１３０を示す斜視図である。
【００１６】
商品情報処理装置１００は、例えば倉庫などに設置されて用いられる。商品情報処理装置１００はカウンタ１０１を有している。カウンタ１０１には、情報処理装置１１０と、物品読取装置１３０が設置されている。
【００１７】
情報処理装置１１０は、各種信号を所定のプログラムに沿って処理を行うＣＰＵ１２１と、情報を提示する表示部１２２と、商品情報を印刷する印字部１２３と、物品読取装置１３０との信号のやり取りを行う通信インターフェース１２４と、指示を液晶表示パネル１１３から受け付ける入力部１２５等を備えている。
【００１８】
情報処理装置１１０の左側には、ボトル取付用タグ１０が取り付けられた商品及びその他の商品を収納したカートンＳを載置し、ボトル取付用タグ１０に取り付けられたＲＦＩＤタグ５０及びその他の商品に取り付けられたＲＦＩＤタグ５０を読み取るための物品読取装置１３０が備えられている。
【００１９】
物品読取装置１３０は、情報処理装置１１０に接続され、各種商品に付されているＲＦＩＤタグ５０から読み取った各種の情報を、情報処理装置１１０に出力（送信）する。
【００２０】
図７は、物品読取装置１３０の概略構成を示す斜視図である。物品読取装置１３０は、カウンタ１０１内に上に設けられた載置部１３１と、この載置部１３１の下部であって、カウンタ１０１内部に設けられ、ＲＦＩＤタグ５０の情報の読み取り及び書き込みに使用されるＲＦＩＤアンテナ１３２が設けられている。ここでは、ＲＦＩＤアンテナ１３２として、直方体形状の筐体に平面パッチアンテナを収容した送受信兼用のアンテナ装置を用いている。ＲＦＩＤアンテナ１３２は、リーダライタ装置１３３と接続されている。
【００２１】
このように構成された上述したボトル取付用タグ１０は、次のようにして用いられる。すなわち、工場等からの出荷時、あるいは、店舗等に商品を並べる前に、ペットボトルＢにボトル取付用タグ１０を取り付ける。具体的には、ペットボトルＢの底部を下方にして立たせ、第１の端部片３０及び第２の端部片４０が上側となるようにして、ボトル取付用タグ１０の開口部２１をペットボトルＢの口部ＰからネックＮに通す。この時、第１の端部片３０及び第２の端部片４０の下部はネックＮによって拡がり、上向きに移動する方向に力がかかるが、支持片２３がキャップＣの下部や口部Ｐ周辺に係合し、位置決めされる。
【００２２】
ボトル取付用タグ１０をペットボトルＢに取り付けた後、工場からの出荷時などに従業員によってペットボトルＢは他の商品Ｔと共に、ピックアップされてカートンＳに収容される。従業員は工場から出庫する商品の検品の段階で、商品情報処理装置１００の物品読取装置１３０にカートンＳを載置する。
【００２３】
物品読取装置１３０によるＲＦＩＤタグ５０の読み取り動作が開始される。リーダライタ装置１３３からの信号に基づいて、ＲＦＩＤアンテナ１３２から電波が出され、カートンＳ内の各ＲＦＩＤタグ５０との交信（読取・書込）が行われる。このとき、ペットボトルＢに取り付けられたボトル取付用タグ１０のＲＦＩＤタグ５０の一部は、ペットボトルＢの口部Ｐから離間しているため、ペットボトルＢの姿勢に関わらずペットボトルＢ内の飲料（水分）に電波の送受信を阻害されない。したがって、ボトル取付用タグ１０のＲＦＩＤタグ５０とＲＦＩＤアンテナ１３２と交信を確実に行わせることが可能となる。他の商品についても、同様にＲＦＩＤタグ５０の読み取りを行った後、液晶表示パネル１１３によって読み取り完了を表示し、出庫数量などを表示する。
【００２４】
上述したように、本実施形態に係るボトル取付用タグ１０によれば、飲料（水分）を収容したペットボトルＢについて、底部を下方にして置いた際ＲＦＩＤタグ５０の少なくとも一部が口部Ｐの上方に位置するので、ペットボトルＢの姿勢が変わって飲料が口部Ｐまで到達しても、ペットボトルＢ内の飲料に電波の送受信を阻害されない。したがって、ＲＦＩＤタグ５０とＲＦＩＤアンテナ１３２との交信を確実に行わせることが可能となる。
【００２５】
なお、上述したボトル取付用タグ１０においては、第２の端部片４０を設けたが必ずしも必要ではない。また、ＲＦＩＤタグ５０の一部が口部Ｐより上方に位置するように形成しているが、ＲＦＩＤタグ５０の全部が口部Ｐより上方に位置するように形成してもよい。
＜第２の実施形態＞
図８は第２の実施形態にかかるボトル取付用タグ１０ＡをペットボトルＢに取り付けた状態を示す斜視図、図９は第２の実施形態にかかるボトル取付用タグ１０Ａを示す斜視図、図１０は第２の実施形態にかかるボトル取付用タグ１０Ａを示す展開図である。なお、これらの図において、図１と同一機能部分には同一符号を付し、その詳細な説明は省略する。
【００２６】
図８に示すように、ボトル取付用タグ１０Ａは、ペットボトルＢのネックＮに取り付けられる。ボトル取付用タグ１０Ａは、円筒台状のベース部６０を有している。図９に示すように、ベース部６０の外周面にＲＦＩＤタグ５０が設けられている。図１０に示すように、ベース部６０は、扇状の薄片（樹脂製で弾性を有している）であるベース片（固定部）６１を有している。ベース片６１は、互いに対向する位置に形成された短縁６２及び長縁６３を有すると共に、左右側の端部に側縁６４，６５を有する。短縁６２の長さはキャップＣの外周より短く、また、長縁６３の長さはボトルＢの外周よりも短く設定されている。ベース片６１は、側縁６４，６５を重ねて接着することで、上述した円筒台状となる。この形状とすることで、従業員は、ベース片６１をネックＮに係合させることができる。
【００２７】
また、ベース片６１は、短縁６２及び長縁６３でネックＮと係合しているが、その内周面はネックＮとは密着していない。ベース片６１は、その外周面にＲＦＩＤタグ５０が配置されることで、無線タグ支持部として機能する。その際、ベース片６１は、ネックＮと密着せず、僅かに離間していることから、ＲＦＩＤタグ５０をネックＮから離間した位置に配置されている。さらに、ＲＦＩＤタグ５０は、ネックＮの周方向に沿って設けられている。
【００２８】
このように構成されたボトル取付用タグ１０Ａは、次のようにして用いられる。すなわち、工場等からの出荷時、あるいは、店舗等に商品を並べる前に、従業員がペットボトルＢにボトル取付用タグ１０Ａを取り付ける。具体的には、従業員は、ペットボトルＢの底部を下方にして立たせ、ベース片６１の短縁６２をネックＮの上側、長縁６３をネックＮの下側にしてネックＮに巻き付ける。従業員がベース片６１の側縁６４，６５同士を重ね合わせて接着すると、短縁６２の開口がキャップＣの下部に係合し、長縁６３の開口もペットボトルＢの本体に係合する。したがって、ボトル取付用タグ１０ＡはペットボトルＢから抜け出せなくなる。
【００２９】
ボトル取付用タグ１０Ａが取り付けられたペットボトルＢは、前述したボトル取付用タグ１０が取り付けられたペットボトルＢと同様にして取り扱われる。すなわち、ペットボトルＢは他の商品Ｔと共に、ピックアップされてカートンＳに収容される。従業員は工場から出庫する商品の検品の段階で、商品情報処理装置１００の物品読取装置１３０にカートンＳを載置する。物品読取装置１３０は、ボトル取付用タグ１０ＡのＲＦＩＤタグ５０の読み取り動作を行う。このとき、ネックＮは、ベース片６１に密着していないため、ベース片６１に取り付けられたＲＦＩＤタグ５０とネックＮとの間に隙間が生じる。したがって、ＲＦＩＤタグ５０は、ペットボトルＢ内の飲料（水分）に電波の送受信を阻害されない。さらに、ＲＦＩＤタグ５０は、ネックＮの周方向に沿って設けられているため、電波の送受信を行う領域を拡げることができ、電波の送受信を確実に行わせることができる。
【００３０】
したがって、ペットボトルＢは、その姿勢に関わらずペットボトルＢ内の飲料（水分）に電波の送受信を阻害されない。したがって、ボトル取付用タグ１０ＡのＲＦＩＤタグ５０とＲＦＩＤアンテナ１３２と交信を確実に行わせることが可能となる。
【００３１】
上述したように、本実施形態に係るボトル取付用タグ１０Ａによれば、飲料（水分）を収容したペットボトルＢについて、ＲＦＩＤタグ５０がネックＮから離間しているため、ペットボトルＢの姿勢が変わって飲料がネックＮや口部Ｐまで到達しても、ペットボトルＢ内の飲料に電波の送受信を阻害されない。したがって、ＲＦＩＤタグ５０とＲＦＩＤアンテナ１３２との交信を確実に行わせることが可能となる。
＜第３の実施形態＞
図１１は第３の実施形態にかかるボトル取付用タグ１０ＢをペットボトルＢに取り付けた状態を示す斜視図、図１２は本実施形態におけるボトル取付用タグ１０Ｂを示す斜視図である。なお、これらの図において、図１と同一機能部分には同一符号を付し、その詳細な説明は省略する。
【００３２】
図１１に示すように、ボトル取付用タグ１０Ａは、ペットボトルＢのネックＮに取り付けられる。ボトル取付用タグ１０Ａは、樹脂材製の二重筒７０を有している。図１２に示すように、二重筒７０の外周面にＲＦＩＤタグ５０が設けられている。二重筒７０は、円筒状の外筒７１と、この外筒７１の内側に同軸的に形成された内筒（固定部）７２と、これら外筒７１及び内筒７２の上部には、開口を閉塞する蓋部７３を備えている。外筒７１と内筒７２との間の空間にはノベルティグッズＧを封入することができる。
【００３３】
内筒７２の内径は、ペットボトルＢのキャップＣの外径よりも僅かに大きく形成されており、内筒７２はキャップＣに嵌合させることができる。したがって、内筒７２を嵌め込むことで容易には抜けない。
【００３４】
また、外筒７１はネックＮとは密着していない。外筒７１は、その外周面にＲＦＩＤタグ５０を配置することで、無線タグ支持部としても機能する。その際、外筒７１は、ネックＮと密着せず、離間していることから、ＲＦＩＤタグ５０をネックＮから離間した位置に配置できる。さらに、ＲＦＩＤタグ５０がネックＮの周方向に沿うと共に、ネックＮの中心軸を基準にして少なくとも対向する位置にまでわたって配置される。
【００３５】
このように構成されたボトル取付用タグ１０Ｂは、次のようにして用いられる。すなわち、工場等からの出荷時、あるいは、店舗等に商品を並べる前に、従業員は、ペットボトルＢにボトル取付用タグ１０Ｂを取り付ける。具体的には、従業員がペットボトルＢの底部を下方にして立たせ、二重筒７０の下方側からペットボトルＢに挿入し、内筒７２をキャップＣに嵌合させる。したがって、ボトル取付用タグ１０ＢはペットボトルＢから抜け出せなくなる。
【００３６】
ボトル取付用タグ１０Ｂが取り付けられたペットボトルＢは、前述したボトル取付用タグ１０Ａ取り付けられたペットボトルＢと同様にして取り扱われる。すなわち、ペットボトルＢは他の商品Ｔと共に、ピックアップされてカートンＳに収容される。従業員は工場から出庫する商品の検品の段階で、商品情報処理装置１００の物品読取装置１３０にカートンＳを載置する。物品読取装置１３０は、ボトル取付用タグ１０ＡのＲＦＩＤタグ５０の読み取り動作を行う。このとき、ネックＮは、外筒７１に密着していないため、外筒７１に取り付けられたＲＦＩＤタグ５０とネックＮとの間に隙間が生じる。したがって、ＲＦＩＤタグ５０は、ペットボトルＢ内の飲料（水分）に電波の送受信を阻害されない。さらに、ＲＦＩＤタグ５０は、ネックＮの周方向に沿って設けられているため、電波の送受信を行う領域を拡げることができ、電波の送受信を確実に行わせることができる。
【００３７】
したがって、ペットボトルＢの姿勢に関わらずペットボトルＢ内の飲料（水分）に電波の送受信を阻害されない。したがって、ボトル取付用タグ１０ＢのＲＦＩＤタグ５０とＲＦＩＤアンテナ１３２と交信を確実に行わせることが可能となる。
【００３８】
上述したように、本実施形態に係るボトル取付用タグ１０Ｂによれば、ボトル取付用タグ１０Ａと同様の効果を得ることができる。
【００３９】
本実施形態におけるボトルとは、水などが入っているペットボトルに限らず、コーヒーが入っているアルミ缶のボトル形状のものでもよく、ボトルの材質はどのような材質であってもよい。また、本実施例におけるボトルは、飲料に対応する容器に限らず、調味料などに対応する容器の場合でもよい。
【００４０】
本実施の形態におけるボトル取付用タグ１０は、中央片２０と第１の端部片３０と第２の端部片４０を一つのシートで構成し、その一部分をそれぞれの名称として定義してもよい。逆に、中央片２０と第１の端部片３０と第２の端部片４０のそれぞれを接着剤等で接続し一体的に作製してもよい。
【００４１】
また物品読取装置は、工場からの出庫する商品をチェックするために利用されるが、そのほか、店舗の在庫管理に利用してもよく、また、店舗の商品販売の場面で使用してもよい。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１０，１０Ａ，１０Ｂ…ボトル取付用タグ、２０…中央片、２１…開口部、２３…支持片、３０…第１の端部片（端部片）、４０…第２の端部片、５０…ＲＦＩＤタグ（無線タグ）、６０…ベース部、６１…ベース片（固定部、無線タグ支持部）、７０…二重筒、７１…外筒（無線タグ支持部）、７２…内筒（固定部）、１００…商品情報処理装置、１１０…情報処理装置、１３０…物品読取装置。
【図１】
2019031332.tif 000003
【図２】
2019031332.tif 000004
【図３】
2019031332.tif 000005
【図４】
2019031332.tif 000006
【図５】
2019031332.tif 000007
【図６】
2019031332.tif 000008
【図７】
2019031332.tif 000009
【図８】
2019031332.tif 000010
【図９】
2019031332.tif 000011
【図１０】
2019031332.tif 000012
【図１１】
2019031332.tif 000013
【図１２】
2019031332.tif 000014